(57)【特許請求の範囲】
【請求項１】
a)液体炭化水素；
b)アルキルビニルモノマーとカチオン性ビニルモノマーとの炭化水素に可溶な少なくとも一種の共重合体であって、アルキルビニルモノマー単位とカチオン性ビニルモノマー単位との比が１：１〜10：１であると共に平均分子量が800〜1,000,000である共重合体；及び
c)少なくとも一種のオレフィンと二酸化硫黄との炭化水素に可溶な少なくとも一種のポリスルホン共重合体
を有することを特徴とする電気伝導率が向上した組成物。
【請求項２】
さらにd)ポリアミンを有することを特徴とする請求項１に記載の組成物。
【請求項３】
さらにe)アリールスルホン酸を有することを特徴とする請求項２に記載の組成物。
【請求項４】
前記アルキルビニルモノマーとカチオン性ビニルモノマーとの共重合体とポリスルホン共重合体との重量比が１／９〜９／１であることを特徴とする請求項１〜３のいずれか１項に記載の組成物。
【請求項５】
前記b)カチオン性ビニルモノマーがカチオン性第４アンモニウムビニルモノマーであることを特徴とする請求項１〜４のいずれか１項に記載の組成物。
【請求項６】
前記b)カチオン性ビニルモノマーが、カチオン性第４アンモニウムアクリレートモノマーおよびカチオン性第４アンモニウムメタクリレートモノマーよりなる群から選択されることを特徴とする請求項１〜５のいずれか１項に記載の組成物。
【請求項７】
前記b)カチオン性ビニルモノマーが、式
【化１】
0005405705.tif 000015
（ここにおいて、Ｚは窒素、リン及びイオウよりなる群から選択され、Ｘ−は非ハロゲン原子であり、Ｒは−Ｃ(＝Ｏ)Ｏ−、−Ｃ(＝Ｏ)ＮＨ−、直鎖及び分岐アルキレン基、二価の芳香族基並びに二価の脂環式基よりなる群から選択され、Ｒ３は水素及びメチルよりなる群より選択され、Ｒ４は炭素原子が20個までの（Ｃ１〜Ｃ２０）直鎖または分岐アルキレンであり、Ｒ５、Ｒ６及びＲ７はそれぞれ独立に炭素原子が20個までの直鎖または分岐アルキルである。但し、Ｚがイオウである場合は、Ｒ７は存在しない。）で示されることを特徴とする請求項１〜６のいずれか１項に記載の組成物。
【請求項８】
さらに、アルキルビニルモノマーとニトリル含有モノマーとの共重合体を有することを特徴とする請求項１〜７のいずれか１項に記載の組成物。
【請求項９】
前記c)少なくとも一種のオレフィンと二酸化硫黄との炭化水素に可溶な少なくとも一種のポリスルホン共重合体が、二酸化硫黄からの単位を50モル％、それぞれ炭素原子数が６〜24である一種以上の1-アルケンから得られた単位を40〜50モル％、および式ＡＣＨ＝ＣＨＢ（ここで、Ａは−(ＣＸＨ２Ｘ)−ＣＯＯＨ（Ｘは０〜17）、Ｂは水素またはカルボキシルである。但し、Ｂがカルボキシルである場合はＸが０であり、Ａ及びＢ共に二価のカルボン酸無水物基であってもよい。）を有するオレフィン化合物から得られた単位を０〜10モル％有することを特徴とする請求項１〜８のいずれか１項に記載の組成物。
【請求項１０】
a)アルキルビニルモノマーとカチオン性ビニルモノマーとの炭化水素に可溶な少なくとも一種の共重合体であって、アルキルビニルモノマー単位とカチオン性ビニルモノマー単位との比が１：１〜10：１であると共に平均分子量が800〜1,000,000である共重合体；及び
b)少なくとも一種のオレフィンと二酸化硫黄との炭化水素に可溶な少なくとも一種のポリスルホン共重合体
を有することを特徴とする液体炭化水素の帯電防止性を向上させる組成物。
【請求項１１】
さらにd)ポリアミンを有することを特徴とする請求項１０に記載の組成物。
【請求項１２】
さらにe)アリールスルホン酸を有することを特徴とする請求項１１に記載の組成物。
【請求項１３】
前記アルキルビニルモノマーとカチオン性ビニルモノマーとの共重合体とポリスルホン共重合体との重量比が１／９〜９／１であることを特徴とする請求項１０、１１または１２に記載の組成物。
【請求項１４】
さらに、アルキルビニルモノマーとニトリル含有モノマーとの共重合体を有することを特徴とする請求項１０〜１３のいずれか１項に記載の組成物。
【請求項１５】
a)炭化水素燃料を用意し、
b)i)アルキルビニルモノマーとカチオン性ビニルモノマーとの炭化水素に可溶な少なくとも一種の共重合体であって、アルキルビニルモノマー単位とカチオン性ビニルモノマー単位との比が１：１〜10：１であると共に平均分子量が800〜1,000,000である共重合体；と
ii) 少なくとも一種のオレフィンと二酸化硫黄との炭化水素に可溶な少なくとも一種のポリスルホン共重合体と
を任意の順序で前記炭化水素燃料に添加する
段階を有することを特徴とする液体炭化水素の帯電防止性を向上させる方法。
【発明の詳細な説明】
【発明の分野】
【０００１】  本発明は炭化水素の導電率を高める方法および組成物に関する。より詳しくは、その一態様において、ハロゲンを含有しないアクリレート共重合体組成物とポリスルホン共重合体とのブレンド物であって、溶媒や燃料などの液体炭化水素の導電率を向上させ、そしてそのような液体において有害であり得る静電荷の形成を制御することのできるブレンド物、並びにそのような組成物を製造及び使用する方法に関する。
【発明の背景】
【０００２】  静電荷が摩擦によって２種の異なる非導電性の材料の間を移動することはよく知られている。これが起こると、このようにして生成した静電荷は接触している材料の表面に現れる。発生した電荷の強さは、各材料の性質、より詳細にはそれそれの導電率に依存する。
【０００３】  恐らく、静電荷蓄積の最もよく知られている例の中には、カーペットを敷いた床を足を引きずって歩いたり、他人の髪や動物の毛皮を手でこすったりしたときに発生するものが含まれるであろう。一般にはあまり知られていないが、固体を液体と混合したり、炭化水素溶液中を水が沈降するときにも、静電荷蓄積が発生する。石油業界にとって最も関心があるのは後者の場合である。その理由は、このような電荷が可燃性の液体の中、または可燃性の液体の周囲に蓄積すると、いつかは起こる放電が発火につながる可能性があり、そして重大な火災や爆発を引き起こす危険性があるからである。
【０００４】  石油業界にとってスパークが常にある問題であるのに対し、火災及び爆発は製品を取り扱い、移動し、輸送する際に、恐らく最も大きな問題になるであろう。例えば、溶媒や燃料が管の中を通るとき、特に、これらの液体が表面に極めて近い領域や目の細かいフィルターを通過するとき、また、タンクローリーに充填する間に一般に行われる他の加工制御に際して、これらの溶媒及び燃料中に静電荷が蓄積することが知られている。燃料などが充填される容器に静電荷が蓄積するのを防ぎ、導電性の容器から地面に向かってスパークするのを防ぐための対抗策としては、容器の接地（即ち、「アース」）及び接続（bonding）などを採用することができる。しかしながら、これらの方法も、炭化水素燃料による静電気被害の全てを成功裡に処理するには不十分であることがわかっている。
【０００５】  ディーゼル、ガソリン、ジェット燃料、タービン燃料およびケロシンのような蒸留燃料などの低導電性、揮発性の有機液体における静電気の蓄積を防ぐのには、接地と接続だけでは不十分である。同様に、接地と接続は、例えば、有機溶媒及び洗濯液などの比較的清潔な（即ち、汚染菌のない）軽炭化水素油中での静電荷の蓄積を防止することができない。これは、これらの有機物質の導電率が非常に低く、これらの液体中を静電荷が非常にゆっくりと移動するので、接地されている導電性のある容器の表面に達するのに非常に時間がかかるからである。静電荷が容器に達するまでの間に、発火性のスパークを生じ得る高い表面電圧電位が得られてしまう。空気−炭化水素蒸気の環境下では、このようにして発火または爆発が起こり得る。
【０００６】  添加剤を使用して液体そのものの導電率を高めることによって、これらの低導電性の有機液体によって示される、増大している害の根元を直接的にたたくこともできる。液体の導電率が向上すれば、液体中に存在する電荷がアースされた容器内表面によって導電除去されるのに必要な時間は大幅に短くなる。このような液体の電子伝導率を向上させる液体炭化水素添加剤に使用されるものとして、様々な組成物が知られている。例えば、米国特許第3,578,421号; 第3,667,724号; 第3,807,977号; 第3,811,848号; 及び第3,917,466号には、概してα-オレフィン−スルホン共重合体の帯電防止剤が記載されている。米国特許第3,677,725号には、α-オレフィン−無水マレイン酸共重合体類の帯電防止剤が記載されている。帯電防止性のアミン、および帯電防止性のメチルビニルエーテル−無水マレイン酸共重合体が米国特許第3,578,421号に記載されている。さらにまた、帯電防止性の脂肪族アミン−フッ化ポリオレフィンが米国特許第3,652,238号に記載されている。同様に、帯電防止性クロミウム塩およびリン酸アミンが米国特許第3,758,283号に記載されている。また、米国特許第4,333,741号には、炭化水素における帯電防止剤としての用途用にオレフィン−アクリロニトリル共重合体が開示されている。
【０００７】  オレフィン−アクリロニトリル共重合体組成物は、揮発性の液体炭化水素と組み合わせた場合、上記のように、帯電防止剤として効果的であることが示されてきた。なお、この帯電防止剤は「静電消散剤」としても知られている。
【０００８】  過去においては、燃料に導入されるハロゲン含有組成物が、燃料中の帯電防止性を確保するのに重要な役割を果たしてきた。これらのハロゲン含有組成物は帯電防止剤として有効ではあるが、特定の場合においては、あるハロゲン含有炭化水素化合物が環境破壊と共に人間及び動物の健康への危険性と結び付けられてきた。アメリカ合衆国における「空気浄化法」への1990年の改正を含む法制定は、ハロゲンを含む組成物の媒体の内の幾つかを継続的に使用許可することから離れる傾向を示している。ハロゲン含有組成物の使用がいまだに認められている場所でも、その使用、貯蔵、並びに、特に、これらの組成物を含む廃液流の廃棄及び／または処理について、厳格な規則が設けられていることが多い。このような因子は、処理される媒体に関係なく、ハロゲン含有帯電防止剤の継続的な使用と、経済的な実行可能性とに疑問を投げかける。
【０００９】  他の従来技術の組成物は、（活性成分の）約10重量％程度の硫黄を、硫黄を添加することによって燃料の汚染を増加するような方法で必然的に含んでいた。様々な形態の硫黄、例えば二酸化硫黄など、は望ましくない汚染因子として知られている。硫黄が望ましくないのは様々な理由によるが、例として、取り扱いに際して生じる問題、その干渉、望ましくない副作用、および硫黄で汚染された流体の最終的な用途などを挙げることができる。ある種の流体におけるある形態の硫黄の存在は許容されるが、硫黄の存在は最小にするのが好ましい。
【００１０】  米国特許第5,672,183号は電気伝導率が向上した組成物に関し、該組成物は、液体炭化水素、及び帯電防止性を有する量のアルキルビニルモノマーとカチオン性ビニルモノマーとの炭化水素に可溶な共重合体を含有する。前記共重合体におけるアルキルビニルモノマー単位とカチオン性ビニルモノマー単位との割合は、約１：１〜約10：１であり、平均分子量は約800〜約1,000,000である。
【００１１】  このように、多種多様の揮発性炭化水素液体に使用することのできる、効果的で安価な帯電防止剤の必要性が高まってきている。多くの場面において、帯電防止剤はハロゲンを含有していないのが特に好ましい。
【発明の要約】
【００１２】  したがって、本発明の目的は、電気伝導率が向上した、新規な液体炭化水素組成物を提供することである。
【００１３】  本発明の別の目的は、液体炭化水素の表面に蓄積した静電荷を効果的に低減する方法を提供することである。
【００１４】  本発明の、これらのそして他の目的を達成するために、一態様において、a)液体炭化水素；b)帯電防止性を有する量のアルキルビニルモノマーとカチオン性ビニルモノマーとの炭化水素に可溶な少なくとも一種の共重合体であって、アルキルビニルモノマー単位とカチオン性ビニルモノマー単位との比が約１：１〜10：１であると共に平均分子量が約800〜約1,000,000である共重合体；及びc)帯電防止性を有する量の少なくとも一種のオレフィンと二酸化硫黄との炭化水素に可溶な少なくとも一種のポリスルホン共重合体を有する、電気伝導率が向上した組成物が提供される。
【００１５】  本発明によって達成されるいくつかの効果の中で、様々な媒体の帯電防止性を向上させることのできる組成物及び方法を提供すること、いかなる状況においてもハロゲンの使用を必要としない組成物及び方法を提供すること、少量の硫黄の使用を可能にする組成物及び方法を提供すること、環境的に許容不可能な形態での硫黄の使用の低減、並びに比較的低コスト・低廃棄物で製造することのできる組成物を提供することに注目することができる。
【００１６】  アルキルビニルモノマーとカチオン性ビニルモノマーとの炭化水素に可溶な少なくとも一種の共重合体と、少なくとも一種のオレフィンと二酸化硫黄との炭化水素に可溶な少なくとも一種の共重合体とのブレンド物は、それが混合される炭化水素流体の電気伝導率を増大させることができることが発見されている。これらの成分の各々が、炭化水素燃料用の帯電防止剤としてそれぞれ知られているが、ある場合においては、各共重合体を別々に使用するよりも両者のブレンド物を使用することによってより優れた導電性が得られることが発見されている。即ち、相乗効果が得られる場合がある。さらに、ブレンド物中において、アルキルビニルモノマーとカチオン性ビニルモノマーとを使用することによって、ポリスルホン共重合体の使用量を低下させることができる。ポリスルホン共重合体は比較的高価な共重合体であるし、二酸化硫黄を含有している。先に記載したように、二酸化硫黄の割合は最小にするのが望ましい。さらに、本発明のブレンド物はハロゲン原子を含有していない。
【００１７】  この発明においては、「炭化水素液体」という用語と「炭化水素流体」という用語とは同義語であって、従来からの炭化水素燃料はもとより、酸化燃料（例えば、メタノール、エタノール等）、及び炭化水素燃料と酸化燃料とのブレンド物も包含するものと理解されたい。また、本発明の組成物は、将来開発される燃料における帯電防止剤としても使用可能であることが期待される。
【００１８】  アルキルビニルモノマーとカチオン性ビニルモノマーとの炭化水素に可溶な共重合体は米国特許第5,672,183号に記載されており、該特許に記載されている方法に従って製造することができる。この米国特許の全文をこの参照によって本願明細書に取り入れる。好ましい態様においては、この共重合体におけるアルキルビニルモノマー単位とカチオン性ビニルモノマー単位との比は約１：１〜約10：１であり、共重合体の平均分子量は約800〜約1,000,000である。他の態様においては、カチオン性ビニルモノマーはカチオン性第四アンモニウムビニルモノマーであり、好ましい態様においては、カチオン性第四アンモニウムアクリレートモノマーまたはカチオン性第四アンモニウムメタクリレートモノマーである。また別の態様においては、カチオン性ビニルモノマーは次の式で表される。
【００１９】
【化１】
0005405705.tif 000002
【００２０】ここにおいて、Ｚは窒素、リン及びイオウよりなる群から選択され、Ｘ−は非ハロゲン原子であり、Ｒは−Ｃ(＝Ｏ)Ｏ−、−Ｃ(＝Ｏ)ＮＨ−、直鎖及び分岐アルキレン基、二価の芳香族基並びに二価の脂環式基よりなる群から選択され、Ｒ３は水素及びメチルよりなる群より選択され、Ｒ４は炭素原子が20個程度までの（Ｃ１〜Ｃ２０）直鎖または分岐アルキレンであり、Ｒ５、Ｒ６及びＲ７はそれぞれ独立に炭素原子が20個程度までの直鎖または分岐アルキルである。但し、Ｚが硫黄である場合は、Ｒ７は存在しない。任意であるが、アルキルビニルモノマーとニトリル含有モノマーとの共重合体を、アルキルビニルモノマーとカチオン性ビニルモノマーとの共重合体と共に使用することもできる。
【００２１】  さらに、炭化水素に可溶なポリスルホン共重合体は米国特許第3,917,466号に記載されており、該特許に記載されている方法で製造することができる。この米国特許の全文を、この参照によって本願明細書に取り入れる。好ましい態様では、少なくとも一種のオレフィンと二酸化硫黄との炭化水素に可溶なポリスルホン共重合体において、二酸化硫黄からの単位が50モル％、それぞれ炭素原子数が約６〜24である一種以上の1-アルケンから得られた単位が40〜50モル％、および式ＡＣＨ＝ＣＨＢを有するオレフィン化合物から得られた単位が０〜10モル％である。前記式において、Ａは−(ＣＸＨ２Ｘ)−ＣＯＯＨ（ここで、Ｘは０〜17程度）、Ｂは水素またはカルボキシルである。但し、Ｂがカルボキシルである場合はＸが０であり、Ａ及びＢ共に二価のカルボン酸無水物基であってもよい。このポリスルホン共重合体の分子量は約10,000〜約500,000であり、本発明を制限しない一態様においては、好ましくは約200,000〜約300,000である。
【００２２】  本発明の帯電防止剤の任意成分としては高分子量のポリアミンがある。このポリアミンも帯電防止剤であり、好ましくは以下の式を有する。
【００２３】
【化２】
0005405705.tif 000003
【００２４】
ここにおいて、
Ｒ９は炭素数が８〜24の脂肪族炭化水素基であり、
Ｒ１０は炭素数が２〜６のアルキレン基であり、
Ｒ８はＲ９、または式Ｒ９ＮＨＲ１０であり、
ａは０〜20の整数であり、
ｂは０〜20の整数であり、
ｃは０〜20の整数であり、および
ｙは１〜２の整数である。
但し、Ｒ８がＲ９である場合は、ａが２〜20の整数であると共にｂ＝ｃ＝０、Ｒ８がＲ９ＮＨＲ１０である場合は、ａが０であると共にｂ＋ｃが２〜20の整数である。
【００２５】  アリールスルホン酸が存在していてもよく、その場合はアリールスルホン酸がポリアミンと塩を形成してポリアミンを中和する。これによって、組成物の抗沈殿性を高めることができる。なお、沈殿が生じるのは好ましくない。ポリアミンとスルホン酸とついては米国特許第3,917,466号に記載されており、該特許をこの参照によって本願明細書に取り入れる。高分子量のポリアミンは、貯蔵中の抗沈殿形成性を高めるために、塩、特にスルホン酸塩として存在するのが好ましい。
【００２６】  本発明の好ましい一態様においては、少なくとも二種の異なったポリスルホン共重合体をブレンド物中に使用する。
【００２７】  ポリスルホン共重合体に対するアルキルビニルモノマーとカチオン性ビニルモノマーとの共重合体の重量比は約１／９〜約９／１である。好ましい範囲は約１／１〜約７／３である。この２つの共重合体の本発明を限定しない好適な重量比の範囲は約６／４〜約４／６であり、より好ましくは約１／２〜約２／１、さらには約１／１である。ポリスルホン共重合体と高分子量のポリアミンとは、約100／１〜約１／100の重量比、好ましくは50／１〜１／１の重量比、最も好ましくは約20：１〜１：１の重量比で存在させることができる。高分子量のポリアミンと共に使用する場合は、アリールスルホン酸はポリアミンと約１／１のモル比で存在して、塩を形成する。
【００２８】  帯電防止添加組成物の有効添加量は、炭化水素液体の性質、帯電防止添加組成物に使用される共重合体の比率と型、炭化水素液体における他の添加物の効果などを含む（しかしながら、必ずしもこれらに限定されない）数多くの相互に関連する要因に依存するので、ある特定の炭化水素液体においてどれだけの量が有効量になるかを予測するのは困難であると思われる。それにも関わらず、本発明を制限しない一般的な有効量の範囲を示すと、液体炭化水素の全量に基づいて約20 ppmの濃度があれば十分であると考えられるが、必要な活性添加剤の総量は100 ppm未満であり、実際には、３〜10 ppmでも十分であるはずである。好ましくは、ある態様においては、有効量は１〜２ppmである。主として経済的な理由によって、また、処理された液体の最終的な使用に際して添加剤が悪い影響を与えないためにも、このような低濃度の使用が概して望ましい。しかも、濃度が低い方が、処理された燃料が水を吸収しにくくなる。処理された燃料による水の吸収は、界面活性剤が存在すると起こる場合がある。
【００２９】  燃料の導電率を増加させる方法は、上記組成物の内の１つを、燃料または炭化水素溶媒の導電率を増加させるのに有効な濃度で、燃料または溶媒に添加することを含む。本発明の組成物を予め調合しておいて、燃料または溶媒に一度に添加してもよく、また、様々な成分を任意の順序で別々に添加することもできる。この方法は、一般に入手することができて燃料業界で広く使用されている従来からあるブレンド及び／または混合装置を用いて効果的に行うことができる。
【００３０】  このように、本発明は、安価に製造することができ、好ましい態様においては、構成成分が容易に入手することができると共に安価である組成物を用いて燃料に帯電防止性を与えることができる。一般的な処理装置を使用することができ、ハロゲンを含有しない形態を採用する場合は、有害な廃棄物であるハロゲン含有副生物を処理する必要がなくなる。本発明の好ましい添加組成物で処理された燃料は、その正常な燃焼が妨げられることがなく、ダイオキシンなどの有害生成物もその他有害なハロゲン化生成物も製造されることがない。さらに、これらの帯電防止組成物中においては硫黄の量が非常に少ないので、現在市販されている硫黄、特により有害な形態の硫黄の含有量が多い製品よりも環境に受け入れられやすい製品とすることができる。
【００３１】  以下の例は、本発明の好ましい態様を記載している。本願請求項の範囲内での他の態様は、明細書を考慮することにより、またはここに開示されている発明を実施することにより、当業者には明らかであろう。明細書もこれらの例も、例に続く特許請求の範囲に示された発明の範囲と精神とに関して、単に例示的なものであることが意図されている。例えば、ここにおいて重合抑制を向上させる（to improve the polymerization inhibition herein）ある特定の組成物で特別に同定されたり試験されたりはしていないが、請求項に記載されているパラメータの範囲に入るものであれば、特に試験されたもの以外の共重合体を、他の割合または比率で組み合わせて、異なった方法で添加することは本発明の範囲内に入ると期待される。例においては、特に他の記載がない限り、パーセンテージは全て重量基準である。
【００３２】  （調製実験Ａ〜Ｊ）
以下の材料を表１に示す割合でブレンドした。
化合物α：米国特許第5,672,183号に従って製造されたアルキルビニルモノマーとカチオン性ビニルモノマーとの炭化水素に可溶な共重合体。
化合物β：米国特許第5,672,183号に従って製造されたアルキルビニルモノマーとニトリル含有モノマーとの炭化水素に可溶な共重合体。
化合物γ：ベイカーペトロライト社（Baker Petrolite）によって製造された、８部の炭化水素溶媒を加えた、化合物αと化合物βとの50／42pbw市販ブレンド物。
化合物δ：米国特許第3,917,466号に従って、E.I. duPont de Nemours & Co.によって製造された、少なくとも一種のオレフィンと二酸化硫黄との炭化水素に可溶なポリスルホン共重合体とポリアミンとのブレンド物。
【００３３】
【表１】
0005405705.tif 000004
【００３４】ブレンド物Ｊは40重量％の化合物αを30重量％に希釈し、次いで、希釈した化合物αを化合物δと１：１の割合でブレンドして調製した。ブレンド物Ｆについては、若干の沈殿が観察された。
【００３５】  得られたブレンド物を低硫黄ディーゼル（ＬＳＤ）参照燃料（350 ppm硫黄）に添加して作った試料の導電率を下の表２に示す。単位はピコジーメンス・パー・メートル（pS/m）である。
【００３６】  添加剤によって導電性を有するようになった燃料は、温度、そして恐らく湿度などの環境条件によって、時間が経つうちに導電性を失う傾向がある。この導電性の喪失は、燃料の特定の組成、例えば、多量の極性分子を含有しているかどうかなどにもよる可能性がある。しかしながら、本願明細書で報告されているこの試験及び他の試験においては、本発明による添加剤を含有している燃料の導電率の経時低下は、従来の組成物のみを含有しているものと比較して非常に大きくはないことが観察される。ある場合においては、導電率は減少ではなく増加することが予想に反して観察された。
【００３７】
【表２】
0005405705.tif 000005
【００３８】  ブレンド物Ｋ〜Ｐは、米国特許第3,917,466号の手順に従って作られた、1-デセンと二酸化硫黄との炭化水素に可溶な共重合体である化合物εを用いて調製された。ブレンド物Ｐについては、３日後に若干の沈殿が観察された。
【００３９】
【表３】
0005405705.tif 000006
【００４０】  得られたブレンド物を低硫黄ディーゼル（ＬＳＤ）参照燃料（350 ppm硫黄）に添加して作った試料の導電率を下の表４に示す。単位はピコジーメンス・パー・メートル（pS/m）である。
【００４１】
【表４】
0005405705.tif 000007
【００４２】  さらに調合したブレンド物を表５に示す。以下の材料が使用された。
TETRAMINE T溶液：イソプロピルアルコール（ＩＰＡ）とキシレンとの重量比１：１の溶液に溶解した25％TETRAMINE T（アクゾ・ノーベル（Akzo Nobel）により販売）
DDBSA：（アミンを中和するための）ドデシルベンゼンスルホン酸
溶媒14：芳香族溶媒。
【００４３】
【表５】
0005405705.tif 000008
【００４４】  得られたブレンド物を低硫黄ディーゼル（ＬＳＤ）参照燃料（350 ppm硫黄）に添加して作った試料の導電率を下の表６に示す。単位はピコジーメンス・パー・メートル（pS/m）である。
【００４５】
【表６】
0005405705.tif 000009
【００４６】
【表７】
0005405705.tif 000010
【００４７】  ブレンド物Ｕについては多少の沈殿物が観察された。ケロシンに、５ppmの量でブレンド物を添加した試料の導電率を以下の表８に示す。単位はピコジーメンス・パー・メートル（pS/m）である。化合物ζは、米国特許第3,917,466号に従ってE.I. duPont de Nemours & Co.が製造した、少なくとも一種のオレフィンと二酸化硫黄との炭化水素可溶ポリスルホン共重合体をポリアミンとブレンドしたものである。
【００４８】
【表８】
0005405705.tif 000011
【００４９】  （調製例Ｖ〜Ｚ）
化合物αを溶媒14で１：１の重量比になるように希釈したブレンド物を次のようにして作った。48.2ｇの化合物αに48.2ｇの溶媒14を加えた（50％化合物α）。この材料を表９に示した割合でさらにブレンドした。
【００５０】
【表９】
0005405705.tif 000012
【００５１】  ケロシンに、５ppmの量でブレンド物を添加した試料の導電率を以下の表１０に示す。単位はピコジーメンス・パー・メートル（pS/m）である。ブレンド物ＡＡは16ｇの50％化合物αに４ｇの化合物δを加えて製造した。ブレンド物ＢＢは17ｇの50％化合物αに３ｇの化合物δを加えて製造した。
【００５２】
【表１０】
0005405705.tif 000013
【００５３】  表に示されているブレンド物について、5 ppmの量を低硫黄ディーゼル参照燃料（350 ppm硫黄）に添加して、さらに導電率試験を行った結果を表１１に示す。
【００５４】
【表１１】
0005405705.tif 000014
【００５５】  以上に記載した事柄を考慮すると、本発明のいくつかの効果が達成され、また、他の効果も得られたことが理解される。
【００５６】  本発明の範囲から離れることなく、上記方法及び組成物には様々な変更を加えることができるので、上記記載に含まれる全ての事柄は例示的なものであると解釈され、限定的な意味において理解されるべきではない。